(57)【要約】【課題】架構体に外力が作用した場合に壁パネルの破損を防止する。壁パネルをスライド自在に支持するための横桟をモルタルの流出を防止するための堰部材として兼用する。【解決手段】建物の構造材である梁１の上面部に断面Ｌ状をした長尺の横桟２の下横片３を梁１に沿って載置して固着する。横桟２の縦片４にボルト挿入孔５を設け、壁パネル６の上端部に設けた取付け用縦片７に上記縦片４に設けたボルト挿入孔５よりも大きいボルト遊挿孔８を設ける。ボルト挿入孔５とボルト遊挿孔８とに挿通したボルト９にナット１０を螺合して取付け用縦片７に上記縦片４を連結する。横桟２の縦片４上に壁パネル６の下端面部に設けた凹条部１１をはめ込む。梁１上に一端部を載置したコンクリート製の床パネル１２の側端面と横桟２の下横片３と縦片４とで囲まれた凹所１３内にモルタル１４を充填する。【選択図】        図１
2004316106.tif 000002
【特許請求の範囲】
【請求項１】
建物の構造材である梁の上面部に断面Ｌ状をした長尺の横桟の下横片を梁に沿って載置して固着し、横桟の縦片にボルト挿入孔を設け、壁パネルの上端部に設けた取付け用縦片に上記縦片に設けたボルト挿入孔よりも大きいボルト遊挿孔を設け、ボルト挿入孔とボルト遊挿孔とに挿通したボルトにナットを螺合して取付け用縦片に上記縦片を連結し、横桟の縦片上に壁パネルの下端面部に設けた凹条部をはめ込み、梁上に一端部を載置したコンクリート製の床パネルの側端面と横桟の下横片と縦片とで囲まれた凹所内にモルタルを充填して成ることを特徴とするカーテンウォールの取付け部の構造。
【発明の詳細な説明】
【０００１】
【発明の属する技術分野】
本発明は、建物の耐力構造に関係のない壁体であるカーテンウォールの取付け部の構造に関するものである。
【０００２】
【従来の技術】
従来から建物の構造材である架構体を構成する梁に短尺のＬ状金物を固着し、このＬ状金物の縦片の上端部に上階の壁パネルの下端部に設けた係止用屈曲片を係止し、Ｌ状金物の縦片に下階の壁パネルの上端部に設けた連結金物の縦片をボルト、ナットにより連結することで取付けるようにしたものが知られている。（例えば、特許文献１参照）
上記の特許文献１に示された従来例にあっては、壁パネルの上端部に設けた連結金物の縦片又はＬ状金物の縦片のいずれか一方にボルト挿入孔を設けると共にいずれか他方に該ボルト挿入孔よりも大きい大径孔や長孔等のボルト遊挿孔を形成し、ボルト挿入孔、ボルト遊挿孔にボルトを挿入してナットを締結することで壁パネルの上端部を取付けてある。なお、下階の壁パネルの下端部は該下端部に設けた係止用屈曲片をＬ状をした土台金物の縦片に係止している。
【０００３】
上記のような構成とすることで、地震などの際に建物の架構体に荷重がかかった場合に、上記のようにして架構体に取付けている非構造材である壁パネルが下端部においては縦片と係止用屈曲片との係止部分で滑りが生じ、また、上端部においてはボルト遊挿孔部分でボルトがスライドし、これにより地震などの際に壁パネルが破損しないようにしている。
【０００４】
ところで、建物の梁にはコンクリート製の床パネルの側端部を載設する場合があるが、このような場合には壁パネルと梁に側端部を載設した床パネルとの間に現場でモルタルを充填してコンクリート製の床パネルの側方の隙間を埋めて気密性を高めるようにしている。（例えば、特許文献２参照）
上記特許文献１に示されるようにカーテンウォールである壁パネルを構造材である建物の架構体の梁に取付けるものにおいて、上記特許文献２のように建物の梁にコンクリート製の床パネルの側端部を載設する場合、梁に上記短尺のＬ状金物とは別にモルタルの流出を防止するための堰部材を取付ける必要があり、施工が面倒であった。
【０００５】
【特許文献１】
特開昭６３−１３８０４５号公報
【特許文献２】
特開昭６３−８３３４８号公報
【０００６】
【発明が解決しようとする課題】
本発明は上記の点に鑑みてなされたものであり、架構体に外力が作用してもカーテンウォールを構成する壁パネルがスライドできる構造とすることで壁パネルの破損を防止できる構造としながら、壁パネルをスライド自在に支持するための長尺の横桟をモルタルの流出を防止するための堰部材として兼用できて部材点数を削減すると共に施工を簡略化できるカーテンウォールの取付け部の構造を提供することを課題とするものである。
【０００７】
【課題を解決するための手段】
上記課題を解決するために本発明に係るカーテンウォールの取付け部の構造は、建物の構造材である梁１の上面部に断面Ｌ状をした長尺の横桟２の下横片３を梁１に沿って載置して固着し、横桟２の縦片４にボルト挿入孔５を設け、壁パネル６の上端部に設けた取付け用縦片７に上記縦片４に設けたボルト挿入孔５よりも大きいボルト遊挿孔８を設け、ボルト挿入孔５とボルト遊挿孔８とに挿通したボルト９にナット１０を螺合して取付け用縦片７に上記縦片４を連結し、横桟２の縦片４上に壁パネル６の下端面部に設けた凹条部１１をはめ込み、梁１上に一端部を載置したコンクリート製の床パネル１２の側端面と横桟２の下横片３と縦片４とで囲まれた凹所１３内にモルタル１４を充填して成ることを特徴とするものである。
【０００８】
このような構成とすることで、建物の構造材である架構体に地震などによる外力が作用した場合、架構体に対してカーテンウォールを構成する壁パネル６がスライドして壁パネル６が破損するのを防止するようになっており、このように大きな外力が作用した場合、下階の壁パネル６の上端部と上階の壁パネル６の下端部とをスライドできるように保持するための長尺の横桟２がモルタル１４を充填するための凹所１３の底面及び一側面を構成する部材を兼用することになる。
【０００９】
【発明の実施の形態】
以下、本発明を添付図面に示す実施形態に基づいて説明する。
【００１０】
柱間に梁１を架設して構成したラーメン構造の架構体に図１に示すようにカーテンウォールを構成する壁パネル６を取付けてある。壁パネル６は添付図面に示す実施形態においては木製の枠体１６に面板１７を取着し、内部に断熱材１８を充填して構成してあり、この壁パネル６の下端面部には長手方向の全長にわたって枠体１６部分に下方に開口する溝よりなる凹条部１１が形成してあり、また、木製の枠体１６の上端部には断面コ字状又は断面Ｌ字状をした金属製の取付け部材１９がボルト２０により固着してあり、この取付け部材１９の取付け用縦片７が壁パネル６の上端部の背面側に露出している。取付け用縦片７には後述のボルト挿入孔５よりも大きいボルト遊挿孔８が設けてある。つまり、このボルト遊挿孔８は後述のボルト挿入孔５よりも径の大きい大径孔又はボルト挿入孔５よりも上下方向あるいは左右方向に長い長孔となっている。
【００１１】
図２に示すように、梁１はＨ型鋼により構成してあり、梁１の上のフランジ片２１の上面部の屋外側半部上に断面Ｌ状をした金属製の横桟２の下横片３の端部を載置してボルト２０により固着してある。横桟２は長尺のものであり、梁１の長手方向にわたって梁１に沿わせてある。この横桟２の縦片４にはボルト挿入孔５が設けてある。
【００１２】
この建物の構造材である梁１に上記のように固定した横桟２にカーテンウォールを構成する下階の壁パネル６の上端部と上階の壁パネル６の下端部とを支持するようになっている。
【００１３】
すなわち、横桟２の縦片４の外面に下階の壁パネル６の上端部の背面側に露出して設けた取付け部材１９の取付け用縦片７を当接し、縦片４に設けたボルト挿入孔５と取付け用縦片７に設けたボルト遊挿孔８とを連通させ、この連通するボルト挿入孔５とボルト遊挿孔８にボルト９を挿通し（この場合ボルト９はボルト遊挿孔８に遊びを持った状態で挿通される）、ボルト９にナット１０を螺合して取付け用縦片７に上記縦片４を連結することで下階の壁パネル６の上端部を梁１に固着した横桟２に取付けて支持させる。
【００１４】
また、横桟２の縦片４上に上階の壁パネル６の下端面部に設けた凹条部１１をはめ込んで上階の壁パネル６の下端部を梁１に固着した横桟２に支持させる。
【００１５】
上記上階の壁パネル６の上端部は図２に示すように上記梁１よりも一階上の梁に固着した横桟２の縦片４に上記と同様にしてボルト９、ナット１０により取付けて支持するものである。
【００１６】
また、上記下階の壁パネル６の下端部は上記梁１よりも一階下の梁１に固着した横桟２の縦片４の上端部に凹条部１１をはめ込んで支持させる。
【００１７】
このようにして各階の壁パネル６の上下を上記のようにして架構体である梁１に固着した横桟２に取付けて支持させる。
【００１８】
梁１の上のフランジ片２１の上面部の屋内側半部上にはプレキャストコンクリートパネルのようなコンクリート製の床パネル１２の一端部が載設される。このように床パネル１２を載設した状態で、梁１上に一端部を載置したコンクリート製の床パネル１２の側端面と横桟２の下横片３と縦片４とにより上方が開口する凹所１３が形成される。ここで、横桟２の縦片４の上端部の凹条部１１をはめ込む部分はコンクリート製の床パネル１２の上面よりも上方に位置している。
【００１９】
上記凹所１３内には現場でモルタル１４が充填され、コンクリート製の床パネル１２と壁パネル６との間の隙間をモルタル１４により完全に塞ぐものである。モルタル１４の上面はコンクリート製の床パネル１２の上面と面一とし、モルタル１４が硬化した後、コンクリート製の床パネル１２の上面からモルタル１４の上面にわたって表面床材２２を敷設するものである。
【００２０】
上記のように、梁１上に一端部を載置したコンクリート製の床パネル１２の側端面と横桟２の下横片３と縦片４とで囲まれた凹所１３内にモルタル１４を充填することで、コンクリート製の床パネル１２とモルタル１４とが一体に連続してコンクリート製の床パネル１２と壁パネル６との間の隙間を塞ぐので上下階の気密性、断熱性が優れたものとなる。
【００２１】
なお、最下階に位置する壁パネル６の下端部は、図３に示すように凹条部１１を基礎２３上面部に載設してアンカーボルト２８により固着した断面Ｌ状をした土台２４の縦片にはめ込んで支持するものである。図中２５は１階の床パネル、２６は１階の床パネル２５を支持する大引、２７は大引２６を支持する束である。また、最上階の壁パネル６は、図４に示すように最上階の梁１の上部に設けた横桟２の縦片４に上記と同様にして取付けるものである。
【００２２】
しかして、本発明においては、地震等の外力が建物に作用して架構体が変位した場合、非構造材であるカーテンウォールを構成する壁パネル６は、下端部においては凹条部１１が横桟２の縦片４上端部にはめ込み支持してあるので、凹条部１１が縦片４に沿ってスライドし、また、上端部においては、壁パネル６の取付け用縦片７のボルト遊挿孔８にボルト９が遊びをもって挿入してあるので、ボルト遊挿孔８部分がボルト９に対してスライドし、これにより架構体に対してカーテンウォールを構成する壁パネル６がスライドして壁パネル６が破損するのを防止するようになっている。
【００２３】
そして、本発明においては、上記のように大きな外力が作用した場合、下階の壁パネル６の上端部と上階の壁パネル６の下端部とをスライドできるように保持するための長尺の横桟２がモルタル１４を充填するための凹所１３の底面及び一側面を構成する部材を兼用しており、これにより部材点数の削減、施工の簡略化が図れるようになっている。
【００２４】
【発明の効果】
上記のように本発明の請求項１記載の発明にあっては、建物の構造材である梁の上面部に断面Ｌ状をした長尺の横桟の下横片を梁に沿って載置して固着し、横桟の縦片にボルト挿入孔を設け、壁パネルの上端部に設けた取付け用縦片に上記縦片に設けたボルト挿入孔よりも大きいボルト遊挿孔を設け、ボルト挿入孔とボルト遊挿孔とに挿通したボルトにナットを螺合して取付け用縦片に上記縦片を連結し、横桟の縦片上に壁パネルの下端面部に設けた凹条部をはめ込むので、建物の構造材である架構体に地震などによる外力が作用した場合、架構体に対してカーテンウォールを構成する壁パネルがスライドして壁パネルが破損するのを防止できるものであり、しかも、一端部を梁上に載置したコンクリート製の床パネルの側端面と横桟の下横片と縦片とで囲まれた凹所内にモルタルを充填するので、下階の壁パネルの上端部と上階の壁パネルの下端部とを大きな外力が作用した場合にスライドできるように保持するための長尺の横桟がモルタルを充填するための凹所の底面及び一側面を構成する部材を兼用することになり、これにより部材点数を削減し、施工性を向上すると共にコストダウンを図ることができるものである。
【図面の簡単な説明】
【図１】本発明の断面図である。
【図２】同上の下階の壁パネルの上端部と上階の壁パネルの下端部とを横桟に支持している部分の拡大断面図である。
【図３】同上の最下階の壁パネルの下端部を支持している部分の拡大断面図である。
【図４】同上の最上階の壁パネルの上端部を支持している部分の拡大断面図である。
【符号の説明】
１  梁
２  横桟
３  下横片
４  縦片
５  ボルト挿入孔
６  壁パネル
７  取付け用縦片
８  ボルト遊挿孔
９  ボルト
１０  ナット
１１  凹条部
１２  床パネル
１３  凹所
１４  モルタル
【図１】
2004316106.tif 000003
【図２】
2004316106.tif 000004
【図３】
2004316106.tif 000005
【図４】
2004316106.tif 000006